【誤訳訂正書】
【提出日】平成19年7月6日(2007.7.6)
【誤訳訂正１】
【訂正対象書類名】明細書
【訂正対象項目名】全文
【訂正方法】変更
【訂正の内容】
【書類名】  明細書
【発明の名称】  マルチ画像総合情報無人提供装置
【特許請求の範囲】
【請求項１】
動画で広告商品及び加盟店に対する広告情報を表示する動画広告モニター；前記動画広告モニターに表示される広告情報を検索して、特定の広告商品及び加盟店の割引クーポンを出力するための選択ボタンが備えられている動画タッチスクリーン；光ディスクに保存された通信販売商品及び加盟店に対する広告情報を表示する文字広告モニター；前記文字広告モニターに表示される広告情報を検索して、特定の通信販売商品及び加盟店の割引クーポンを出力するための選択ボタンが備えられている文字広告タッチスクリーン；前記文字広告モニターに広告画像を提供し、前記文字広告タッチスクリーンが操作されることによって広告情報を検索して、特定通信販売商品及び加盟店の割引クーポンを出力するための割引クーポン印刷信号を出力する光ディスクドライバー；前記動画広告モニターに広告画像を提供し、前記動画タッチスクリーンが操作されることによって広告情報を検索して、特定の広告商品及び加盟店の割引クーポンを出力するための割引クーポン印刷信号を出力する一方で、前記文字広告タッチスクリーンのタッチスクリーンスイッチがオンされると、前記文字広告タッチスクリーンに無人案内される生活情報及びその検索画像を提供し、生活情報を出力するための生活情報印刷信号を出力する端末システム本体；及び前記光ディスクドライバー及び端末システム本体から出力される割引クーポン印刷信号及び生活情報印刷信号が入力されると、割引クーポン及び生活情報誌を出力するプリンタ；から構成されることを特徴とする、マルチ画像総合情報無人提供装置。
【請求項２】
前記端末システム本体は、タッチスクリーンモニターに無人案内される割引加盟店及び商品に対する検索画像を提供し、文字広告タッチスクリーンのタッチスクリーンスイッチがオンされると、割引クーポンを出力するための割引クーポン印刷信号を出力するように構成されることを特徴とする、請求項１に記載の前記マルチ画像総合情報無人提供装置。
【請求項３】
前記端末システム本体は、ＡＤＳＬ、ＤＳＵ、通信モデム、及び一般通信網を通じて前記動画広告モニター及び文字広告モニターに表示される広告情報及び生活情報のデータベースを含むサーバーと連結されて、マルチ画像広告ネットワークを構築するように構成されることを特徴とする、請求項１に記載の前記マルチ画像総合情報無人提供装置。
【請求項４】
前記端末システム本体は、前記文字広告タッチスクリーンがオンされて無人案内される生活情報及びその検索画像が表示される前までは、前記動画広告モニターに表示される広告情報が前記文字広告モニターに同時に表示されるようにすることを特徴とする、請求項１に記載の前記マルチ画像総合情報無人提供装置。
【請求項５】
前記光ディスクドライバーは、前記端末システム本体及び前記サーバーの間の通信が遮断されると、前記文字広告モニターに表示される広告情報が前記動画広告モニターに同時に表示されるようにすることを特徴とする、請求項５に記載の前記マルチ画像総合情報無人提供装置。
【請求項６】
前記プリンタは、前記動画広告モニター及び文字広告モニターに表示される広告商品及び加盟店の割引クーポン、及び前記文字広告モニターに最終的に表示される生活情報を特定のフォーマットの情報誌で出力することができるように構成されることを特徴とする、請求項１に記載の前記マルチ画像総合情報無人提供装置。
【請求項７】
前記端末システム本体には、ページャー電話機がさらに連結されることを特徴とする、請求項１に記載の前記マルチ画像総合情報無人提供装置。
【請求項８】
前記端末システム本体には、画像を提供するためのＤＶＤが連結されることを特徴とする、請求項１に記載の前記マルチ画像総合情報無人提供装置。
【請求項９】
前記端末システム本体には、統合領収証発行器、公衆電話カード発売器、交通カード発売及びチャージ器、クレジットカード照会器のうちの１つ以上がさらに連結されることを特徴とする、請求項１に記載の前記マルチ画像総合情報無人提供装置。
【技術分野】
【０００１】
本発明は、光ディスクに保存された通信販売商品、広告商品、及び加盟店の広告情報を表示する動画広告モニター、及びこれに表示される広告情報を検索して、商品及び加盟店の割引クーポンを出力するための選択ボタンが備えられているタッチスクリーン、ウェブ（Ｗｅｂ）サイトにリンクされて、文字情報やショッピングモール情報を検索したりナビゲーションして、電子決済を通じた購入が行われるようにする対話型モニター、光ディスクまたはウェブサイトから入力された文字情報及び画像情報を出力するレーザープリンタ、情報利用料を精算する紙幣識別器及びコイン識別器、電子決済のためのクレジットカード照会器、行政請願書類を発給する行政請願処理器、２次元の平面広告を回転させた平面回転広告などが集積（ｉｎｔｅｇｒａｔｉｏｎ）されている付加装置、これら付加装置を連動させて、端末システム本体と衝突なく行うことができるように特別に提案された並列式二重制御装置（統合コントロールボード）から構成される。
【０００２】
本発明は、画像を表示するモニター（ｍｏｎｉｔｏｒ）を通じて各種商品及び加盟店などの総合情報を提供するマルチ画像総合情報無人提供装置に関し、より詳細には、各種広告情報及び生活情報を多数のモニターを通じて表示するだけでなく、使用者がモニターに表示される各種広告情報及び生活情報を検索した後、特定の広告商品及び加盟店の割引クーポン及び特定の生活情報を出力することができるようにするマルチ画像総合情報無人提供装置に関する。
また、本発明は、広告／生活情報と共に、各種領収証発行、公衆電話カード発売、交通カード発売及びチャージ、クレジットカード照会、電話通話などを行うことができるようにするマルチ画像総合情報無人提供装置に関する。
【背景技術】
【０００３】
一般に、画像情報提供装置は、特定の公共の場所の屋内外に設置されて、スチール（ｓｔｉｌｌ）、テキスト（ｔｅｘｔ）、グラフィック（ｇｒａｐｈｉｃ）、動画、アニメーションなどで表示される各種広告情報、案内情報などをモニターを通じて画像で提供するように構成された装置であって、使用者が所定の選択ボタンを操作することによって、画像情報を検索することができるようになっている。
【０００４】
特に、このような画像情報提供装置は、所定の運営プログラムを内蔵していて、ＣＤ（ｃｏｍｐａｃｔ ｄｉｓｃ）などの保存媒体に画像情報を保存した後、この画像情報をモニターに画像で表示するように構成されていて、主に、政府行政システムや各種案内システムなどに局限的に開発されて、少数の局限的な使用者が利用する場合が多かった。
前記従来の画像情報提供装置は、ＣＤなどの保存媒体に保存された各種画像情報をモニターを通じて画像で提供し、使用者が前記画像情報を検索することができるようにだけ構成されているので、保存媒体の記憶容量によって情報量が制限されるだけでなく、広告情報や案内情報以外に、生活情報誌などを通じて提供される各種生活情報を使用者にリアルタイムで迅速に提供することができないという短所があって、使用者が画像情報に含まれている特定の広告商品及び加盟店の割引クーポンの発給を受けることができないという短所がある。
【発明の開示】
【発明が解決しようとする課題】
【０００５】
したがって、本発明は、前記従来の問題を克服するためのものであって、本発明の目的は、スチール（ｓｔｉｌｌ）、テキスト、グラフィック、動画、アニメーションなどで表示される各種広告情報及び生活情報を多数のモニターを通じて表示するだけでなく、使用者がモニターに表示される各種広告及び生活情報を検索した後、特定の広告商品及び加盟店の割引クーポン及び特定の生活情報を出力することができ、付加サービスとして、行政請願書類サービス、交通カード発売及びチャージサービス、公衆電話カード発売、クレジットカード決済及び照会、ショッピングモールを利用した電子商取引（ＥＣ）、ページャー（ｐａｇｅｒ）受信用電話機、各種チケット発売器などを搭載して、ウェブナビゲーション（Ｗｅｂ Ｎａｖｉｇａｔｉｏｎ）またはオンライン（Ｏｎ-ｌｉｎｅ）で利用することができ、無限のハードウェア集積技術を適用して、無人郵便物取扱い、支払い用紙引受け、現金自動支払機、小切手自動整理機、通帳自動記入機などを接続するのに問題がない、マルチ画像総合情報無人提供装置を提供することにある。
【課題を解決するための手段】
【０００６】
前記本発明の目的を達成するためのマルチ画像総合情報無人提供装置は、動画で広告商品及び加盟店に対する広告情報を表示する動画広告モニター（ｍｏｎｉｔｏｒ）；前記動画広告モニターに表示される広告情報を検索して、特定の広告商品及び加盟店の割引クーポンを出力するための選択ボタンが備えられている動画タッチスクリーン（ｔｏｕｃｈ ｓｃｒｅｅｎ）；光ディスクに保存された通信販売商品及び加盟店に対する広告情報を表示する文字広告モニター；前記文字広告モニターに表示される広告情報を検索して、特定の通信販売商品及び加盟店の割引クーポンを出力するための選択ボタンが備えられている文字広告タッチスクリーン；前記文字広告モニターに広告画像を提供し、前記文字広告タッチスクリーンが操作されることによって広告情報を検索して、特定の通信販売商品及び加盟店の割引クーポンを出力するための割引クーポン印刷信号を出力する光ディスクドライバー（Ｏｐｔｉｃａｌ ｄｉｓｃ ｄｒｉｖｅｒ）；前記動画広告モニターに広告画像を提供し、前記動画タッチスクリーンが操作されることによって広告情報を検索して、特定の広告商品及び加盟店の割引クーポンを出力するための割引クーポン印刷信号を出力する一方で、前記文字広告タッチスクリーンのタッチスクリーンスイッチ（ｔｏｕｃｈ ｓｃｒｅｅｎ ｓｗｉｔｃｈ）がオン（ｏｎ）されると、前記文字広告タッチスクリーンに無人案内される生活情報及びその検索画像を提供し、生活情報を出力するための生活情報印刷信号を出力する端末システム本体；及び前記光ディスクドライバー及び端末システム本体から出力される割引クーポン印刷信号及び生活情報印刷信号が入力されると、割引クーポン及び生活情報誌を出力するプリンタ（ｐｒｉｎｔｅｒ）；から構成されることを特徴とする。
【０００７】
前記端末システム本体は、タッチスクリーンモニター（ｔｏｕｃｈ ｓｃｒｅｅｎ ｍｏｎｉｔｏｒ）に無人案内される割引加盟店及び商品に対する検索画像を提供し、文字広告タッチスクリーンのタッチスクリーンスイッチがオン（ｏｎ）されると、割引クーポンを出力するための割引クーポン印刷信号を出力するように構成され、前記端末システム本体は、ＡＤＳＬ、ＤＳＵ、通信モデム、及び一般通信網を通じて前記動画広告モニター及び文字広告モニターに表示される広告情報及び生活情報のデータベース（ｄａｔａｂａｓｅ）を含むサーバー（ｓｅｒｖｅｒ）と連結されて、マルチ画像広告ネットワーク（ｎｅｔｗｏｒｋ）を構築するように構成されるのが好ましい。
【０００８】
また、前記端末システム本体は、前記文字広告タッチスクリーンがオン（ｏｎ）されて無人案内される生活情報及びその検索画像が表示される前までは、前記動画広告モニターに表示される広告情報が前記文字広告モニターに同時に表示されるようにするのが好ましい。
そして、前記光ディスクドライバーは、前記端末システム本体及び前記サーバーの間の通信が遮断されると、前記文字広告モニターに表示される広告情報が前記動画広告モニターに同時に表示されるようにし、前記プリンタは、前記動画広告モニター及び文字広告モニターに表示される広告商品及び加盟店の割引クーポン、及び前記文字広告モニターに最終的に表示される生活情報を特定のフォーマットの情報誌で出力することができるように構成されるのが好ましい。
【０００９】
前記端末システム本体には、ページャー電話機（ｐａｒｇｅｒ ｔｅｌｅｐｈｏｎｅ）や、画像を提供するためのＤＶＤが連結され、また、前記端末システム本体には、統合領収証発行器、公衆電話カード発売器、交通カード発売及びチャージ器、クレジットカード照会器のうちの１つ以上がさらに連結されて、統合領収証発行、公衆電話カード発売、交通カード発売及びチャージ、クレジットカード照会などを行うことができる。
【発明の効果】
【００１０】
本発明によるマルチ画像総合情報無人提供装置は、マルチ画像広告ネットワークを構築して、各種広告情報及び生活情報を多数のモニターを通じて表示するだけでなく、使用者がモニターに表示される各種広告情報及び生活情報を検索した後、特定の広告商品及び加盟店の割引クーポン及び特定の生活情報を出力することができるように構成されているので、マルチ画像広告ネットワークの規模によって、特定の地域はもちろん、全国の各種広告情報及び生活情報を迅速に検索することができ、上質紙からなる各地域の生活情報誌の乱発行による資源の浪費を減少させて、容易に割引加盟店の割引クーポン及び必要な生活情報誌の発給を受けることができる効果がある。
【００１１】
本発明は、広告情報や生活情報だけでなく、各種公共機関で提供する各種情報、統合領収証発行、公衆電話カード発売、交通カード発売及びチャージ、クレジットカード照会、自己広告、電話通話などを行うことができる。
また、他のシステムと異なって、並列構造のインターフェースを構成しているので、新たな付加装置の増設接続が容易であり、サーバーやクライアントのプログラムの修正もテール（ｔａｉｌ）方式のサブプログラムで簡単に解決されるので、用途に応じた拡張、加減の伸縮性が保障される。
【発明を実施する最良の形態】
【００１２】
以下、本発明の一実施例による構成を、添付した図面を参照してより具体的に説明する。
図１は本発明によるマルチ画像総合情報無人提供装置を示した構成図である。
図２は本発明によるマルチ画像総合情報無人提供装置を利用して構築したマルチ画像広告ネットワークの実施例を示した例示図である。
図３は本発明による端末システム本体を示した正面図である。
図４は本発明による端末システム本体を示した側面図である。
図５は図１のタッチスクリーンモニターに表示される初期画面を示した例示図である。
図６は図１のタッチスクリーンモニターにプルダウン（ｐｕｌｌ-ｄｏｗｎ）方式で表示される生活情報及びその情報検索画像を示した例示図である。
【００１３】
図１の動画広告モニター１１は、動画で広告商品及び加盟店に対する広告情報を表示するものであって、前記動画広告モニター１１は、下記の端末システム本体２２によってＤＶＤ２３から出力された広告情報がＩＳＡインターフェースボード１６（Ｉｎｄｕｓｔｒｙ Ｓｔａｎｄａｒｄ Ａｒｃｈｉｔｅｃｔｕｒｅ ｉｎｔｅｒｆａｃｅ ｂｏａｒｄ）を通じてＭＰＥＧコーデック５（Ｍｏｖｉｎｇ Ｐｉｃｔｕｒｅ Ｅｘｐｅｒｔｓ Ｇｒｏｕｐ ＣＯＤＥＣ）及びＮＴＳＣジェネレータ６（ＮＴＳＣ ｇｅｎｅｒａｔｏｒ）によって圧縮伸張された後、動画広告モニター１１あるいは文字広告モニター１３に表示される適切な信号に変換され、セレクター９によって選択されて、動画広告モニター１１あるいは文字広告モニター１３に供給される。
【００１４】
もちろん、前記セレクター９（ｓｅｌｅｃｔｏｒ）にＴＶチューナー７によって受信されたＴＶ信号が供給されて、動画広告モニター１１あるいは文字広告モニター１３に選択的に供給されるようにする一方で、音声信号がオーディオアンプスピーカ１０（ａｕｄｉｏ ａｍｐ ｓｐｅａｋｅｒ）を通じて出力されるようにすることもできる。
前記動画広告モニター１１と一体型に形成された動画タッチスクリーン１２には、前記動画広告モニター１１に表示される広告情報を検索して、特定の広告商品及び加盟店の割引クーポンを出力するための選択ボタンが備えられている。
【００１５】
前記動画タッチスクリーン１２には、動画広告画面を前後に検索することができる前後選択ボタン、広告画面を一時停止させることができる停止ボタン、及び割引クーポンを出力するためのクーポン出力ボタン、動画選択ボタン、次画面あるいは前画面選択ボタン、各種数字ボタンなどが備えられている。
仮想キーボード３（ｋｅｙ-ｂｏａｒｄ）及びデッキ１（ｄｅｃｋ）が備えられた光ディスクドライバー２から提供される通信販売商品及び加盟店に対する広告情報は、ＭＰＥＧコーデック５及びＮＴＳＣジェネレータ６によって圧縮伸張された後、動画広告モニター１１あるいは文字広告モニター１３に表示される適切な信号に変換され、セレクター９によって選択されて、動画広告モニター１１あるいは文字広告モニター１３に供給される。
【００１６】
ここで、光ディスクドライバー２は、仮想キーボード３の入力を受けて、デッキ１に装着された光ディスクを読取って、各種情報の供給を受けることができるように構成されている。
もちろん、動画広告モニター１１あるいは文字広告モニター１３は、光ディスクドライバー２あるいは端末システム本体２２から提供される文字広告情報がＯＳＤジェネレータ８及びＮＴＳＣジェネレータ６によって動画広告モニター１１あるいは文字広告モニター１３に表示される適切な信号に変換され、セレクター９によって選択されて、選択的に供給されるように構成されている。
【００１７】
文字広告タッチスクリーン１４には、前記文字広告モニター１３に表示される広告情報を検索して、特定の通信販売商品及び加盟店の割引クーポンを出力するための選択ボタンが備えられている。
前記文字広告タッチスクリーン１４には、通信販売商品広告画面を前後に検索することができる前後選択ボタン、広告画面を一時停止させることができる停止ボタン、割引クーポンを出力するためのクーポン出力ボタン、及び光ディスクを動作させるためのオン／オフボタンが備えられている。
【００１８】
光ディスクドライバーの動作を制御する仮想キーボード３及び光ディスクが装着されるデッキ１を備えた光ディスクドライバー２は、前記文字広告モニター１３に広告画像を提供し、前記文字広告タッチスクリーン１４が操作されることによって広告情報を検索して、特定の通信販売商品及び加盟店の割引クーポンを出力するための割引クーポン印刷信号を出力する。
前記光ディスクドライバー２は、下記の端末システム本体２２、図２に示したＡＤＳＬ４４及びＤＳＵ４３、そして図示されていない公衆通信網及び通信モデムを通じて連結されたサーバー４２との間の通信が遮断されると、前記文字広告モニター１３に表示される広告情報が前記動画広告モニター１１に同時に表示されるようにする。
【００１９】
本発明において、前記光ディスクドライバー２には、広告情報を検索して割引クーポン印刷信号を出力し、前記端末システム本体２２及びサーバー４２の間の通信が遮断されると、前記文字広告モニター１３に表示される広告情報が前記動画広告モニター１１に同時に表示されるようにする所定の運営プログラムが内蔵されている。
前記動画広告モニター１１及び文字広告モニター１３は、下記の端末システム本体２２によってＤＶＤ２３から出力されてＩＳＡインターフェースボード１６、ＭＰＥＧコーデック５、ＯＳＤジェネレータ８、ＮＴＳＣジェネレータ６、及びセレクター９を通じて印加される無人案内生活情報及びその情報検索画像を表示する。
【００２０】
前記端末システム本体２２は、前記動画広告モニター１１に広告画像を提供し、前記動画タッチスクリーン１２が操作されることによって広告情報を検索して、特定の広告商品及び加盟店の割引クーポンを出力するための割引クーポン印刷信号を出力する。
前記端末システム本体２２は、前記文字広告タッチスクリーン１４のタッチスクリーンスイッチがオンされると、前記文字広告モニター１３に無人案内される生活情報及びその検索画像を提供し、生活情報を出力するための生活情報印刷信号を出力する。
【００２１】
前記端末システム本体２２、つまり端末システム本体２２を含む複数の使用者４５は、図２に示されているように、ＡＤＳＬ４４及びＤＳＵ４３、そして図示されていない公衆通信網及び通信モデムを通じて前記動画広告モニター１１及び文字広告モニター１３に表示される広告情報及び生活情報のデータベース４６を含むサーバー４２と連結されて、マルチ画像広告ネットワークを構築するように構成されている。
前記端末システム本体２２は、図５に示したように、前記タッチスクリーンスイッチがオンされて無人案内される生活情報及びその検索画像が表示される前までは、前記動画広告モニター１１に表示される広告情報が前記文字広告モニター１３に同時に表示されるようにする。
【００２２】
前記端末システム本体２２は、図６に示したように、前記文字広告モニター１３に表示される生活情報及びその検索画像がプルダウン（ｐｕｌｌ-ｄｏｗｎ）方式で表示されるようにし、最終的に表示される生活情報は特定のフォーマットで前記プリンタ２９を通じて出力されるようにする。
本発明において、前記端末システム本体２２は、このような諸般の動作を行うことができる所定の運営プログラムが内蔵されたペンティアムＩＩプロセッサーを利用するのが好ましい。
【００２３】
プリンタ２９は、前記光ディスクドライバー２及び端末システム本体２２から出力される割引クーポン印刷信号及び生活情報印刷信号が入力されると、割引クーポン及び生活情報誌を出力する。
前記プリンタ２９は、前記動画広告モニター１１及び文字広告モニター１３に表示される広告商品及び加盟店の割引クーポン、及び前記文字広告モニター１３に最終的に表示される生活情報を特定のフォーマットの情報誌で出力することができるように構成される。
【００２４】
図面における符号４は端末システム本体２２に投入されるコイン（ｃｏｉｎ）の量を提供し、端末システム本体２２が投入されたコイン（ｃｏｉｎ）の量に対応する情報を提供することができるようにするコイン（ｃｏｉｎ）識別器、符号１５は図示されていない外部プリンタと連結されるプリンタターミナル、符号２０は端末システム本体２２に関するデータを提供し、端末システム本体２２が特定の指紋が入力された場合にだけ駆動されるようにする指紋認識器、符号１９は図４に示したように蛍光灯２８が設置されている平面回転広告メカニズムであって、１つあるいは２つのモータ軸に連結された平面広告板を回転させて、特定の商品の広告情報を表示するように構成されたものである。もちろん、平面広告板の後方に蛍光灯２８が設置されているので、広告板の広告を周辺の明るさに関係なく伝達することができる。
【００２５】
前記のように構成された本発明によるマルチ画像総合情報無人提供装置は、下記のとおり作動する。
図１及び図２に示したように、本発明によるマルチ画像総合情報無人提供装置は、前記端末システム本体２２をＡＤＳＬ４４、ＤＳＵ４３、図示されていない通信モデム及び公衆通信網を通じて前記動画広告モニター１１及び文字広告モニター１３に表示される広告情報及び生活情報のデータベース４６を含むサーバー４２と連結して、マルチ画像広告ネットワークを構築することができるように構成されている。
【００２６】
前記サーバー４２は、広告主及び情報提供者が提供する各種広告情報及び各種生活情報をデータベース４６に保存した後、前記ＡＤＳＬ４４、ＤＳＵ４３、通信モデム及び公衆通信網を通じて前記端末システム本体２２に提供する。
この時、前記サーバー４２及び端末システム本体２２は、前記動画広告モニター１１及び文字広告モニター１３に広告情報及び生活情報、及びその各々の検索画像を表示するために、互いに双方向通信を行う。
【００２７】
前記のように、サーバー４２及び端末システム本体２２の間で通信が行われると、前記動画広告モニター１１及び文字広告モニター１３に広告情報及び生活情報、及びその各々の検索画像が特定の周期で反復表示され始め、前記動画タッチスクリーン１３のオン／オフボタンがオン位置に選択されると、前記文字広告モニター１３に通信販売商品に対する広告情報が特定の周期で反復表示され始める。
【００２８】
前記モニター１１、１３に表示される広告情報の反復周期は、前記広告主及び情報提供者が提供する広告情報の量及び生活情報の量によって変化する。
また、前記動画広告モニター１１及び文字広告モニター１３は、使用者が前記動画タッチスクリーン１２及び文字広告タッチスクリーン１４のタッチスクリーンスイッチを操作すれば、広告情報及び生活情報を反復表示せずに前記タッチスクリーン１２、１４及びタッチスクリーンスイッチの操作による広告情報及び生活情報を表示する。
【００２９】
反面、使用者が広告情報及び生活情報を検索する途中で前記タッチスクリーン１２、１４のタッチスクリーンスイッチを一定の時間（例えば２〜３分）操作しなければ、前記動画広告モニター１１及び文字広告モニター１３は、再び初期画面である広告情報及び生活情報を反復表示し、このような動作は、端末システム本体２２及び光ディスクドライバー２によって制御される。
【００３０】
特に、各種広告情報及び生活情報を表示するために前記文字広告モニター１３に表示される初期画面は、図５に示したとおりである。
図５において、モニター画面の左右側には検索用の広告情報及び生活情報を示すテキスト画面が表示され、モニター画面の中央部、つまり動画広告画面には前記動画広告モニター１１に表示される動画広告が表示される。
【００３１】
図５に示されたテキスト画面の文字情報は、本発明のマルチ画像総合情報無人提供装置を利用して広告情報及び生活情報を検索した後、割引加盟店の割引クーポン及び特定の生活情報誌を出力することができるサービス内容を示した実施例である。
例えば、本発明によるマルチ画像総合情報無人提供装置に発着信用公衆電話機、デジタル電子機器、自動チケット発売器、クレジットカード照会器、紙幣／小切手識別器などを付加的に設置して、前記端末システム本体２２に別途の運用プログラムを搭載すれば、前記広告情報及び生活情報（電子フリーマーケット情報、交通／地図案内情報、行政請願業務案内情報、行政請願書類発給案内情報など）を検索する機能以外に、公衆電話発着信機能、ポケットベル呼出機能、時計機能、自動チケット発売機能、クレジットカード照会機能、紙幣／小切手識別機能などを追加することができる。
【００３２】
前記のように動画広告モニター１１及び文字広告モニター１３に広告情報及び生活情報、及びその各々の検索画像が表示され、文字広告モニター１３に通信販売商品及び加盟店に対する広告情報が表示されている時、前記端末システム本体２２及び前記サーバー４２の間の通信が遮断されると、前記文字広告モニター１３に表示される通信販売商品に対する広告情報が前記動画広告モニター１１に表示される。
【００３３】
つまり、前記端末システム本体２２及び前記サーバー４２の間の通信が遮断されると、前記端末システム本体２２から提供される広告情報が遮断されるので、前記動画広告モニター１１には通信販売商品に対する広告情報が表示されるのである。
ここで、使用者が前記動画広告モニター１１に表示される広告情報を検索した後、割引クーポンを出力するために、前記動画タッチスクリーン１２の前後選択ボタン、停止ボタン、及びクーポン出力ボタンを順次に操作すれば、前記端末システム本体２２は、割引クーポンを出力するための割引クーポン印刷信号を出力する。
【００３４】
次に、前記端末システム本体２２から出力される割引クーポン印刷信号が前記プリンタ２９をクーポンモードで駆動させると、前記プリンタ２９は、特定の割引加盟店及び商品の割引クーポンを出力する。
また、使用者が前記文字広告モニター１３に表示される通信販売商品に対する広告情報を検索した後、割引クーポンを出力するために、前記文字広告タッチスクリーン１４の前後選択ボタン、停止ボタン、及びクーポン出力ボタンを順次に操作すれば、前記光ディスクドライバー２は、割引クーポンを出力するための割引クーポン印刷信号を出力する。
【００３５】
次に、前記光ディスクドライバー２から出力される割引クーポン印刷信号が前記プリンタ２９をクーポンモードで駆動させると、前記プリンタ２９は、特定の割引加盟店及び商品の割引クーポンを出力する。
次に使用者が前記文字広告モニター１３に表示される広告情報及び生活情報を検索した後、割引クーポン及び特定の生活情報誌を出力するために、前記文字広告タッチスクリーン１４のタッチスクリーンスイッチをオンさせれば、前記端末システム本体２２は、割引クーポンを出力するための割引クーポン印刷信号及び生活情報を出力するための生活情報信号を出力する。
【００３６】
次に、前記端末システム本体２２から出力される割引クーポン印刷信号が前記プリンタ２９をクーポンモードで駆動させれば、前記プリンタ２９は、特定の割引加盟店及び商品の割引クーポンを出力し、生活情報信号が前記プリンタ２９を情報誌モードで駆動させれば、前記プリンタ２９は、特定のフォーマットで生活情報誌を出力する。
例えば、使用者が広告情報及び生活情報を検索した後、特定の生活情報誌を出力するために、前記文字広告タッチスクリーン１４のタッチスクリーンスイッチをオンさせれば、前記文字広告モニター１３に表示される情報検索画像は、図６に示したように、メインメニュ⇒生活情報⇒商品紹介⇒家具⇒東西家具⇒必要な項目、製品、及び必要な情報⇒印刷からなるプルダウン方式、つまり検索段階が下に向かうほど検索範囲が具体化する方式で示される。
【００３７】
この時、最終的にプリントされる特定の家具に対する生活情報誌は、名称、サイズ、価格などの詳細な情報が特定のフォーマットで出力される。
最後に、本発明によるマルチ画像総合情報無人提供装置は、ロック（ｌｏｃｋｉｎｇ）装置の役割を果たすカード判読機を利用することによって、正当な使用権を有する使用者だけが、各種広告情報及び生活情報を検索した後、割引加盟店及び商品の割引クーポン及び特定の生活情報誌を出力することができるように制限することができる。
【００３８】
本発明の他の実施例としては、図３及び図４に示したように、端末システム本体２２の側面にページャー電話機１８を設置し、端末システム本体２２の上端にＬＥＤディスプレイ１７を設置して、別途の電話線を備えなくても電話通話を行うことができるものがある。
特に、相手の電話番号を入力する時に、相手の電話番号の一部あるいは全体がＬＥＤディスプレイ１７に表示されるので、使用者は、相手の電話番号を入力しながら確認することができるという利点がある。
【００３９】
また、本発明の他の実施例としては、端末システム本体２２に統合領収証発行器２４、公衆電話カード発売器２５、交通カード発売及びチャージ器２６、クレジットカード照会器２７などのうちの１つ以上を連結し、図２に示したように、サーバー４２に金融機関、航空会社、鉄道庁、公共の場所の案内情報端末器などを連結することによって、統合領収証発行、公衆電話カード発売、交通カード発売及びチャージ、クレジットカード照会などを通信網を通じて行うことができるものがある。
【００４０】
以上で説明した内容は、本発明によるマルチ画像総合情報無人提供装置を実施するための一実施例に過ぎず、本発明は前記実施例に限定されず、特許請求の範囲で請求する本発明の要旨を逸脱しない限り、当該技術分野で通常の知識を有する者であれば、誰でも多様な変更が可能である。
【図面の簡単な説明】
【００４１】
【図１】本発明によるマルチ画像総合情報無人提供装置を示した構成図である。
【図２】本発明によるマルチ画像総合情報無人提供装置を利用して構築したマルチ画像広告ネットワークの実施例を示した例示図である。
【図３】本発明による端末システム本体を示した正面図である。
【図４】本発明による端末システム本体を示した側面図である。
【図５】図１のタッチスクリーンに表示される初期画面を示した例示図である。
【図６】図１のタッチスクリーンにプルダウン（ｐｕｌｌ-ｄｏｗｎ）方式で表示される生活情報及びその情報検索画像を示した例示図である。
【符号の説明】
１  デッキ
２  光ディスクドライバー
３  仮想キーボード（ｖｉｒｔｕａｌ ｋｅｙ ｂｏａｒｄ）
４  コイン（ｃｏｉｎ）識別器
５  ＭＰＥＧコーデック（ｃｏｄｅｃ）
６  ＮＴＳＣジェネレータ
７  ＴＶチューナー
８  ＯＳＤジェネレータ
９  セレクター
１０  オーディオアンプスピーカ
１１  動画広告モニター
１２  動画タッチスクリーン
１３  文字広告モニター
１４  文字広告タッチスクリーン
１５  プリンタターミナル
１６  並列式二重制御装置
１７  ＬＥＤディスプレイ
１８  ページャー電話機
１９  平面回転広告メカニズム
２０  指紋認識器
２１  通信モデム
２２  端末システム本体
２３  ＤＶＤ
２４  統合領収証発行器
２５  公衆電話カード発売器
２６  交通カード発売及びチャージ器
２７  クレジットカード照会器
２８  蛍光灯
２９  プリンタ
４１  公共場所の案内用情報端末器
４２  サーバー
４３  ＤＳＵ
４４  ＡＤＳＬ
４５  使用者
４６  データベース